(57)【要約】【課題】  自動車用ＡＶ機器で使用するヘッドフォンやリモコンを保持でき、取扱いが簡便なヘッドフォン用ハンガーを提供すること。【解決手段】  皮革を裁断して細長い胴部２およびこの胴部２に続く細長い首部３を形成し、胴部２の上端部および下端部に小孔21、22をあけ、首部３の先端部31にも小孔32をあけ、胴部２を折り曲げて小孔21、22が一致するように胴部２の両端を重ね合わせ、ホックの雄部42を兼ね備えた鳩目で固定して貫通した雨滴形の空間24を形成し、首部３の先端部の小孔32にホックの雌部42を取り付けたものである。【選択図】    図１
2008201344.tif 000002
【特許請求の範囲】
【請求項１】
皮革を裁断して細長い胴部およびこの胴部に続く細長い首部を形成し、
上記胴部の上端部および下端部に小孔をあけ、上記首部の先端部にも小孔をあけ、
上記胴部を折り曲げて小孔が一致するように胴部の両端を重ね合わせ、ホックの雄部を兼ね備えた鳩目で固定して貫通した雨滴形の空間を形成し、
上記首部の先端部の小孔にホックの雌部を取り付けたことを特徴とするヘッドフォン用ハンガー。
【請求項２】
細長い首部の中心線が細長い胴部の中心線に対して斜めに配置されていることを特徴とする請求項１に記載のヘッドフォン用ハンガー。
【請求項３】
胴部に横向きの長孔をあけたことを特徴とする請求項１に記載のヘッドフォン用ハンガー。
【請求項４】
細長い胴部と細長い首部とを別体とし、上記首部の先端部および下端部に小孔をあけ、上記首部の下端部の小孔を上記胴部の上端部の小孔と一致させて、上記胴部と上記首部を結合したことを特徴とする請求項１に記載のヘッドフォン用ハンガー。
【発明の詳細な説明】
【技術分野】
【０００１】
この発明は、自動車の車内で使用するヘッドフォン、リモコン、携帯電話の置き場所として、シートのヘッドレストの支持棒に吊り下げて使用するヘッドフォン用ハンガーに関する。
【背景技術】
【０００２】
自動車の車内では音楽を聴くだけでなく、車内でＤＶＤを視聴することがある。自動車用ＡＶ機器の低価格化により複数台のＡＶ機器を取り付けて個別に視聴することがあり、また、運転者の運転を妨げないように載頭型ヘッドフォンを使用することがある。
【０００３】
後部座席用のモニターは、前部座席のヘッドレストに埋め込まれているので不使用時に邪魔になることはない。しかし、不使用時の載頭型ヘッドフォンの置き場所については何も配慮されていなかった。
【０００４】
ヘッドフォンに限らず車内の装備品や持ち込んだ物品を保持するための、ヘッドレストやヘッドレストの指示棒を利用したハンガー等については下記の特許文献などにより従来より提案されている。
【特許文献１】特開平７−２８５３９２号公報
【特許文献２】特開２００５−２８０６８４号公報
【特許文献３】特開平８−１３２９７２号公報
【発明の開示】
【発明が解決しようとする課題】
【０００５】
従来の自動車用ＡＶ機器においては、載頭型ヘッドフォンの置き場所として何も用意されていないので、座席の上に放置されることが多く、ヘッドフォンの上に不注意に座って破損することがあった。
【０００６】
従来のヘッドレストに適用したハンガーは、ヘッドフォンを保持することを前提にして考えられたものではないために、ヘッドフォンの保持には適さず、取り付け・取り外しが面倒であった。
【０００７】
また、後部座席でＡＶ機器を視聴できる車には高級車が多く、従来のプラスティックや金属で作られたハンガー等は、見た目において高級感に乏しいものであった。
【０００８】
そこで、この発明のヘッドフォン用ハンガーは、簡便な構造で、取り付け・取り外しが簡単で高級感を損なわないように構成したものである。
【課題を解決するための手段】
【０００９】
この発明のヘッドフォン用ハンガーは、皮革を裁断して細長い胴部およびこの胴部に続く細長い首部を形成し、上記胴部の上端部および下端部に小孔をあけ、上記首部の先端部にも小孔をあけ、上記胴部を折り曲げて小孔が一致するように胴部の両端を重ね合わせ、ホックの雄部を兼ね備えた鳩目で固定して貫通した雨滴形の空間を形成し、上記首部の先端部の小孔にホックの雌部を取り付けたものである。
【発明の効果】
【００１０】
この発明のヘッドフォン用ハンガーによると、構造が簡単で製作にコストがかからない。ヘッドレストを背もたれから外すことなく、ヘッドレストの支持棒51に取り付け・取り外しが容易である。また、ヘッドフォン用ハンガーに対するヘッドフォンの装着・取出しが容易であり、リモコンや携帯電話も保持することができる。
【００１１】
皮革で作ると、見た目にも高級感があり、皮革で内装している高級車に適用しても高級感を損ねるこはない。
【発明を実施するための最良の形態】
【００１２】
（第１の実施形態）
この発明のヘッドフォン用ハンガー１は、図２の展開図に示すように、細長い胴部２および細長い首部３を形成するように皮革を裁断して原反を作る。この細長い首部３は、その中心線が胴部２の中心線に対して斜めに配置されている。なお、皮革の素材は、天然皮革でも合成皮革でもよく、所望の色彩に着色したものを使用する。
【００１３】
胴部２の半分より下方には、中心線と直交する横向きに長孔23があけられ、胴部２の上端部および下端部に小孔21、22があけられ、首部３の先端の頭部31にも小孔32があけられている。
【００１４】
このように裁断された皮革の胴部２を折り曲げて、図３の側面図に示すように、上端部の小孔21および下端部の小孔22が一致するように胴部２の両端を重ね合わせ、鳩目によって固定すると、貫通した雨滴形の空間24を形成することができる。
【００１５】
この鳩目には、ホックの雄部41を兼ね備えたものを使用する。そして、首部３の頭部31の小孔32には、ホックの雌部42を固定する。このホックの雄部41および雌部42は一対の留金具を構成する。
【００１６】
首部３を曲げてホックの雌部42を雄部41に留めると、図１に示すように、貫通した空間35を形成することができる。
【００１７】
この発明のヘッドフォン用ハンガー１を使用するときには、図４の正面図に示すように、前部座席のヘッドレスト５を背もたれから持ち上げて隙間をあけ、ヘッドレスト５を支持する２本の支持棒51の何れが一方の支持棒51に首部３を回してホック41、42を留めることにより、ヘッドフォン用ハンガー１を吊り下げることができる。
【００１８】
このとき、首部３の先端を支持棒51に回して胴部２の表面にホック41、42で留めると、首部３の中央部が捻れて垂直方向の空間35（図１参照）を形成するので、首部３が支持棒51に面接触して安定な姿勢で吊り下げることができる。
【００１９】
細長い首部３は、その中心線が胴部２の中心線に対して斜めに配置されているので、吊り下げたとき、支持棒51の中心線と胴部２の中心線とが一致し、ヘッドフォン用ハンガー１を支持棒51の直下に垂直な姿勢で吊り下げることができる。
【００２０】
そして、図５の正面図に示すように、ヘッドフォン用ハンガー１のループをなす胴部２の雨滴形の空間24に、載頭型ヘッドフォン６を挿通してバンド61保持させる。さらに、自動車用ＡＶ機器を操作するリモコン７を胴部２の長孔23に挿し込んで保持させるができる。また、この胴部２の長孔23は、携帯電話の保持に利用してもよいのである。
【００２１】
図示した実施形態において、胴部２の長孔23は、胴部２の中心線と直交する横向きにあけられているが、傾斜した方向にあけて美麗な形状にしてもよいのである。
【００２２】
（第２の実施形態）
図６の展開図に示すように、胴部２と首部３とを一体に形成することなく、胴部20と首部30とを別々に形成してもよいのである。首部30は、その両端に頭部31、33を形成し、各頭部31、33に小孔32、34をあける。胴部20には、上端部および下端部に小孔21、22をあけ、胴部20の半分より下方に、中心線と直交する横向きに長孔23があけられている。
【００２３】
胴部20を折り曲げて、上端部の小孔21および下端部の小孔22を一致させるように重ね合わせ、さらに、首部30の小孔34を一致させてるように首部30を重ねて、鳩目により固定すると、図７の側面図に示すように、雨滴形の空間24を形成することができる。
【００２４】
そして、首部30の他の頭部31の小孔32には、ホックの雌部42を固定すると、第１の実施形態と同様に使用することができ、しかも、首部30を左右に振らせることができる。
【図面の簡単な説明】
【００２５】
【図１】この発明のヘッドフォン用ハンガー示す正面図、
【図２】ヘッドフォン用ハンガーの第１実施形態の原反を示す展開図、
【図３】第１実施形態の側面図、
【図４】ヘッドフォン用ハンガーをヘッドレストに取り付けた状態を示す正面図、
【図５】ヘッドフォン用ハンガーをヘッドレストに取り付けて使用している状態を示す正面図、
【図６】ヘッドフォン用ハンガーの第２実施形態の原反を示す展開図、
【図７】第２実施形態の側面図である。
【符号の説明】
【００２６】
１  ヘッドフォン用ハンガー
２  胴部
21、22  小孔
23  長孔
３  首部
31  頭部
32  小孔
41  鳩目を兼ねたホックの雄部
42  ホックの雌部
５  ヘッドレスト
51  支持棒
６  ヘッドフォン
61  バンド
７  リモコン
【図１】
2008201344.tif 000003
【図２】
2008201344.tif 000004
【図３】
2008201344.tif 000005
【図４】
2008201344.tif 000006
【図５】
2008201344.tif 000007
【図６】
2008201344.tif 000008
【図７】
2008201344.tif 000009